(57)【要約】【課題】溶接ワイヤの送給速度を正送期間と逆送期間とに交互に切り換える溶接方法において、外乱によって短絡発生時の溶滴サイズがばらついても、スパッタ発生量が増加することを抑制すること。【解決手段】溶接ワイヤの送給速度Ｆｗを正送期間と逆送期間とに交互に切り換え、短絡期間とアーク期間とを繰り返して溶接するアーク溶接制御方法において、アーク期間中の溶接電流Ｉｗの積分値を算出し、この積分値と予め定めた基準値との誤差に基づいて送給速度Ｆｗの逆送ピーク値Ｗｒｐを変化させる。上記の積分地は短絡開始時の溶滴サイズと相関する値である。したがって、短絡発生時の溶滴サイズに応じて、逆送ピーク値Ｗｒｐが変化するので、スパッタ発生量が増加することを抑制することができる。【選択図】  図２
2018051579.tif 000002
【特許請求の範囲】
【請求項１】
溶接ワイヤの送給速度を正送期間と逆送期間とに交互に切り換え、短絡期間とアーク期間とを繰り返して溶接するアーク溶接制御方法において、
前記短絡期間が開始した時点における溶滴サイズと相関する値を検出し、
この相関値に基づいて前記送給速度の逆送ピーク値を変化させる、
ことを特徴とするアーク溶接制御方法。
【請求項２】
前記相関値が、前記短絡期間が開始する直前の前記アーク期間の時間長さである、
ことを特徴とする請求項１に記載のアーク溶接制御方法。
【請求項３】
前記相関値が、前記短絡期間が開始する直前の前記アーク期間中の溶接電流の積分値である、
ことを特徴とする請求項１に記載のアーク溶接制御方法。
【請求項４】
前記相関値と予め定めた基準値との誤差に基づいて前記逆送ピーク値を変化させる、
ことを特徴とする請求項１〜３のいずれか１項に記載のアーク溶接制御方法。
【請求項５】
前記相関値と予め定めた閾値との比較結果に基づいて前記送給速度の逆送ピーク値を変化させる、
ことを特徴とする請求項１〜３のいずれか１項に記載のアーク溶接制御方法。
【発明の詳細な説明】
【技術分野】
【０００１】
本発明は、溶接ワイヤの送給速度を正送期間と逆送期間とに交互に切り換え、短絡期間とアーク期間とを繰り返して溶接するアーク溶接制御方法に関するものである。
【背景技術】
【０００２】
一般的な消耗電極式アーク溶接では、消耗電極である溶接ワイヤを一定速度で送給し、溶接ワイヤと母材との間にアークを発生させて溶接が行なわれる。消耗電極式アーク溶接では、溶接ワイヤと母材とが短絡期間とアーク期間とを交互に繰り返す溶接状態になることが多い。
【０００３】
溶接品質をさらに向上させるために、溶接ワイヤの正送と逆送とを周期的に繰り返して溶接する方法が提案されている。特許文献１の発明では、溶接電流設定値に応じた送給速度の平均値とし、溶接ワイヤの正送と逆送との周波数及び振幅を溶接電流設定値に応じた値としている。
【０００４】
ところで、溶接中には、溶融池の不規則な運動、溶融池からのガスの噴出、溶接姿勢の変動、トーチ高さの変動等の種々の外乱によって、溶滴の形成状態がばらつくことがある。溶滴の形成状態がばらつくと、短絡が発生した時点における溶滴のサイズがばらつくことになり、この結果、スパッタ発生量が多くなる。上述した送給速度の正送期間と逆送期間とを切り換える溶接方法においては、定速送給する場合よりもこの現象が顕著となる。
【先行技術文献】
【特許文献】
【０００５】
【特許文献１】特許第５２０１２６６号公報
【発明の概要】
【発明が解決しようとする課題】
【０００６】
そこで、本発明では、溶接ワイヤの送給速度を正送期間と逆送期間とに交互に切り換える溶接方法において、外乱によって短絡発生時の溶滴サイズがばらついても、スパッタ発生量が増加することがないアーク溶接制御方法を提供することを目的とする。
【課題を解決するための手段】
【０００７】
上述した課題を解決するために、請求項１の発明は、
溶接ワイヤの送給速度を正送期間と逆送期間とに交互に切り換え、短絡期間とアーク期間とを繰り返して溶接するアーク溶接制御方法において、
前記短絡期間が開始した時点における溶滴サイズと相関する値を検出し、
この相関値に基づいて前記送給速度の逆送ピーク値を変化させる、
ことを特徴とするアーク溶接制御方法である。
【０００８】
請求項２の発明は、前記相関値が、前記短絡期間が開始する直前の前記アーク期間の時間長さである、
ことを特徴とする請求項１に記載のアーク溶接制御方法である。
【０００９】
請求項３の発明は、前記相関値が、前記短絡期間が開始する直前の前記アーク期間中の溶接電流の積分値である、
ことを特徴とする請求項１に記載のアーク溶接制御方法である。
【００１０】
請求項４の発明は、前記相関値と予め定めた基準値との誤差に基づいて前記逆送ピーク値を変化させる、
ことを特徴とする請求項１〜３のいずれか１項に記載のアーク溶接制御方法である。
【００１１】
請求項５の発明は、前記相関値と予め定めた閾値との比較結果に基づいて前記送給速度の逆送ピーク値を変化させる、
ことを特徴とする請求項１〜３のいずれか１項に記載のアーク溶接制御方法である。
【発明の効果】
【００１２】
本発明によれば、溶接ワイヤの送給速度を正送期間と逆送期間とに交互に切り換える溶接方法において、外乱によって短絡発生時の溶滴サイズがばらついても、溶滴サイズのばらつきに応じて逆送ピーク値が変化するので、スパッタ発生量の増加を防止することができる。
【図面の簡単な説明】
【００１３】
【図１】本発明の実施の形態１に係るアーク溶接制御方法を実施するための溶接電源のブロック図である。
【図２】本発明の実施の形態１に係るアーク溶接制御方法を示す図１の溶接電源における各信号のタイミングチャートである。
【図３】本発明の実施の形態２に係るアーク溶接制御方法を実施するための溶接電源のブロック図である。
【発明を実施するための形態】
【００１４】
以下、図面を参照して本発明の実施の形態について説明する。
【００１５】
［実施の形態１］
図１は、本発明の実施の形態１に係るアーク溶接制御方法を実施するための溶接電源のブロック図である。以下、同図を参照して各ブロックについて説明する。
【００１６】
電源主回路ＰＭは、３相２００Ｖ等の商用電源（図示は省略）を入力として、後述する誤差増幅信号Ｅａに従ってインバータ制御等による出力制御を行い、出力電圧Ｅを出力する。この電源主回路ＰＭは、図示は省略するが、商用電源を整流する１次整流器、整流された直流を平滑する平滑コンデンサ、平滑された直流を高周波交流に変換する上記の誤差増幅信号Ｅａによって駆動されるインバータ回路、高周波交流を溶接に適した電圧値に降圧する高周波変圧器、降圧された高周波交流を直流に整流する２次整流器を備えている。
【００１７】
リアクトルＷＬは、上記の出力電圧Ｅを平滑する。このリアクトルＷＬのインダクタンス値は、例えば１００μＨである。
【００１８】
送給モータＷＭは、後述する送給制御信号Ｆｃを入力として、正送と逆送とを交互に繰り返して溶接ワイヤ１を送給速度Ｆｗで送給する。送給モータＷＭには、過渡応答性の速いモータが使用される。溶接ワイヤ１の送給速度Ｆｗの変化率及び送給方向の反転を速くするために、送給モータＷＭは溶接トーチ４の先端の近くに設置される場合がある。また、送給モータＷＭを２個使用して、プッシュプル方式の送給系とする場合もある。
【００１９】
溶接ワイヤ１は、上記の送給モータＷＭに結合された送給ロール５の回転によって溶接トーチ４内を送給されて、母材２との間にアーク３が発生する。溶接トーチ４内の給電チップ（図示は省略）と母材２との間には溶接電圧Ｖｗが印加し、溶接電流Ｉｗが通電する。
【００２０】
出力電圧設定回路ＥＲは、予め定めた出力電圧設定信号Ｅｒを出力する。出力電圧検出回路ＥＤは、上記の出力電圧Ｅを検出し平滑して、出力電圧検出信号Ｅｄを出力する。
【００２１】
電圧誤差増幅回路ＥＶは、上記の出力電圧設定信号Ｅｒ及び上記の出力電圧検出信号Ｅｄを入力として、出力電圧設定信号Ｅｒ（＋）と出力電圧検出信号Ｅｄ（−）との誤差を増幅して、電圧誤差増幅信号Ｅｖを出力する。
【００２２】
電流検出回路ＩＤは、上記の溶接電流Ｉｗを検出して、電流検出信号Ｉｄを出力する。電圧検出回路ＶＤは、上記の溶接電圧Ｖｗを検出して、電圧検出信号Ｖｄを出力する。短絡判別回路ＳＤは、上記の電圧検出信号Ｖｄを入力として、この値が予め定めた短絡判別値（１０Ｖ程度）未満のときは短絡期間にあると判別してＨｉｇｈレベルになり、以上のときはアーク期間にあると判別してＬｏｗレベルになる短絡判別信号Ｓｄを出力する。
【００２３】
正送加速期間設定回路ＴＳＵＲは、予め定めた正送加速期間設定信号Ｔsurを出力する。
【００２４】
正送減速期間設定回路ＴＳＤＲは、予め定めた正送減速期間設定信号Ｔsdrを出力する。
【００２５】
逆送加速期間設定回路ＴＲＵＲは、予め定めた逆送加速期間設定信号Ｔrurを出力する。
【００２６】
逆送減速期間設定回路ＴＲＤＲは、予め定めた逆送減速期間設定信号Ｔrdrを出力する。
【００２７】
正送ピーク値設定回路ＷＳＲは、予め定めた正送ピーク値設定信号Ｗsrを出力する。
【００２８】
溶滴サイズ相関値算出回路ＰＤは、上記の短絡判別信号Ｓｄ及び上記の電流検出信号Ｉｄを入力として、以下に示す１）又は２）の一方を選択して処理して、溶滴サイズ相関値信号Ｐｄを出力する。短絡期間が開始した時点において、直前のアーク期間の時間長さが長くなるほど、短絡発生時の溶滴サイズは大きくなる。また、直前のアーク期間中の溶接電流Ｉｗの積分地が大きくなるほど、短絡発生時の溶滴サイズは大きくなる。
１）短絡判別信号ＳｄがＬｏｗレベル(アーク期間)の時間長さを計測して、溶滴サイズ相関値信号Ｐｄとして出力する。
２）短絡判別信号ＳｄがＬｏｗレベル(アーク期間)の期間中は、Ｐｄ＝∫Ｉｄ・ｄｔの積分を行い、溶滴サイズ相関値信号Ｐｄとして出力する。
【００２９】
基準値設定回路Ｐｒは、予め定めた基準値信号Ｐｒを出力する。この基準値信号Ｐｒは、平均送給速度(平均溶接電流値)に連動して設定される。基準値信号Ｐｒは、外乱のない安定した溶接状態のときのアーク期間の時間長さ又は電流積分地を実験によって算出して設定される。
【００３０】
相関値誤差増幅回路ＥＰは、上記の溶滴サイズ相関値信号Ｐｄ及び上記の基準値信号Ｐｒを入力として、溶滴サイズ相関値信号Ｐｄ(＋)と基準値信号Ｐｒ(−)との誤差を増幅して、相関値誤差増幅信号Ｅｐを出力する。
【００３１】
逆送ピーク値設定回路ＷＲＲは、上記の短絡判別信号Ｓｄ及び上記の相関値誤差増幅信号Ｅｐを入力として、短絡判別信号ＳｄがＨｉｇｈレベル(短絡)に変化した時点において、予め定めた逆送ピーク値の標準値と相関値誤差増幅信号Ｅｐとを加算して修正し、逆送ピーク値設定信号Ｗrrを出力する。この回路によって、溶滴サイズ相関値信号Ｐｄが基準値信号Ｐｒよりも小さいとき(短絡発生時の溶滴サイズが標準サイズよりも小さいとき)は、逆送ピーク値設定信号Ｗrrは標準値よりも小さくなるように変化する。他方、Ｐｄ＞Ｐｒとなる短絡発生時の溶滴サイズが標準サイズよりも大きいときは、逆送ピーク値設定信号Ｗrrは標準値よりも大きくなるように変化する。
【００３２】
送給速度設定回路ＦＲは、上記の正送加速期間設定信号Ｔsur、上記の正送減速期間設定信号Ｔsdr、上記の逆送加速期間設定信号Ｔrur、上記の逆送減速期間設定信号Ｔrdr、上記の正送ピーク値設定信号Ｗsr、上記の逆送ピーク値設定信号Ｗrr及び上記の短絡判別信号Ｓｄを入力として、以下の処理によって生成された送給速度パターンを送給速度設定信号Ｆｒとして出力する。この送給速度設定信号Ｆｒが０以上のときは正送期間となり、０未満のときは逆送期間となる。
１）正送加速期間設定信号Ｔsurによって定まる正送加速期間Ｔsu中は０から正送ピーク値設定信号Ｗsrによって定まる正の値の正送ピーク値Ｗspまで直線状に加速する送給速度設定信号Ｆｒを出力する。
２）続いて、正送ピーク期間Ｔsp中は、上記の正送ピーク値Ｗspを維持する送給速度設定信号Ｆｒを出力する。
３）短絡判別信号ＳｄがＬｏｗレベル(アーク期間)からＨｉｇｈレベル(短絡期間)に変化すると、正送減速期間設定信号Ｔsdrによって定まる正送減速期間Ｔsdに移行し、上記の正送ピーク値Ｗspから０まで直線状に減速する送給速度設定信号Ｆｒを出力する。
４）続いて、逆送加速期間設定信号Ｔrurによって定まる逆送加速期間Ｔru中は０から逆送ピーク値設定信号Ｗrrによって定まる負の値の逆送ピーク値Ｗrpまで直線状に加速する送給速度設定信号Ｆｒを出力する。
５）続いて、逆送ピーク期間Ｔrp中は、上記の逆送ピーク値Ｗrpを維持する送給速度設定信号Ｆｒを出力する。
６）短絡判別信号ＳｄがＨｉｇｈレベル(短絡期間)からＬｏｗレベル(アーク期間)に変化すると、逆送減速期間設定信号Ｔrdrによって定まる逆送減速期間Ｔrdに移行し、上記の逆送ピーク値Ｗrpから０まで直線状に減速する送給速度設定信号Ｆｒを出力する。
７）上記の１）〜６）を繰り返すことによって正負の台形波状に変化する送給パターンの送給速度設定信号Ｆｒが生成される。
【００３３】
送給制御回路ＦＣは、上記の送給速度設定信号Ｆｒを入力として、送給速度設定信号Ｆｒの値に相当する送給速度Ｆｗで溶接ワイヤ１を送給するための送給制御信号Ｆｃを上記の送給モータＷＭに出力する。
【００３４】
減流抵抗器Ｒは、上記のリアクトルＷＬと溶接トーチ４との間に挿入される。この減流抵抗器Ｒの値は、短絡負荷（０．０１〜０．０３Ω程度）の１０倍以上大きな値（０．５〜３Ω程度）に設定される。この減流抵抗器Ｒが通電路に挿入されると、リアクトルＷＬ及び外部ケーブルのリアクトルに蓄積されたエネルギーが急放電される。
【００３５】
トランジスタＴＲは、上記の減流抵抗器Ｒと並列に接続されて、後述する駆動信号Ｄｒに従ってオン又はオフ制御される。
【００３６】
くびれ検出回路ＮＤは、上記の短絡判別信号Ｓｄ、上記の電圧検出信号Ｖｄ及び上記の電流検出信号Ｉｄを入力として、短絡判別信号ＳｄがＨｉｇｈレベル（短絡期間）であるときの電圧検出信号Ｖｄの電圧上昇値が基準値に達した時点でくびれの形成状態が基準状態になったと判別してＨｉｇｈレベルとなり、短絡判別信号ＳｄがＬｏｗレベル（アーク期間）に変化した時点でＬｏｗレベルになるくびれ検出信号Ｎｄを出力する。また、短絡期間中の電圧検出信号Ｖｄの微分値がそれに対応した基準値に達した時点でくびれ検出信号ＮｄをＨｉｇｈレベルに変化させるようにしても良い。さらに、電圧検出信号Ｖｄの値を電流検出信号Ｉｄの値で除算して溶滴の抵抗値を算出し、この抵抗値の微分値がそれに対応する基準値に達した時点でくびれ検出信号ＮｄをＨｉｇｈレベルに変化させるようにしても良い。
【００３７】
低レベル電流設定回路ＩＬＲは、予め定めた低レベル電流設定信号Ｉlrを出力する。電流比較回路ＣＭは、この低レベル電流設定信号Ｉlr及び上記の電流検出信号Ｉｄを入力として、Ｉｄ＜ＩlrのときはＨｉｇｈレベルになり、Ｉｄ≧ＩlrのときはＬｏｗレベルになる電流比較信号Ｃｍを出力する。
【００３８】
駆動回路ＤＲは、上記の電流比較信号Ｃｍ及び上記のくびれ検出信号Ｎｄを入力として、くびれ検出信号ＮｄがＨｉｇｈレベルに変化するとＬｏｗレベルに変化し、その後に電流比較信号ＣｍがＨｉｇｈレベルに変化するとＨｉｇｈレベルに変化する駆動信号Ｄｒを上記のトランジスタＴＲのベース端子に出力する。したがって、この駆動信号Ｄｒはくびれが検出されるとＬｏｗレベルになり、トランジスタＴＲがオフ状態になり通電路に減流抵抗器Ｒが挿入されるので、短絡負荷を通電する溶接電流Ｉｗは急減する。そして、急減した溶接電流Ｉｗの値が低レベル電流設定信号Ｉlrの値まで減少すると、駆動信号ＤｒはＨｉｇｈレベルになり、トランジスタＴＲがオン状態になるので、減流抵抗器Ｒは短絡されて通常の状態に戻る。
【００３９】
電流制御設定回路ＩＣＲは、上記の短絡判別信号Ｓｄ、上記の低レベル電流設定信号Ｉlr及び上記のくびれ検出信号Ｎｄを入力として、以下の処理を行い、電流制御設定信号Ｉcrを出力する。
１）短絡判別信号ＳｄがＬｏｗレベル(アーク期間)のときは、低レベル電流設定信号Ｉlrとなる電流制御設定信号Ｉcrを出力する。
２）短絡判別信号ＳｄがＨｉｇｈレベル(短絡期間)に変化すると、予め定めた初期期間中は予め定めた初期電流設定値となり、その後は予め定めた短絡時傾斜で予め定めた短絡時ピーク設定値まで上昇してその値を維持する電流制御設定信号Ｉcrを出力する。
３）その後に、くびれ検出信号ＮｄがＨｉｇｈレベルに変化すると、低レベル電流設定信号Ｉlrの値となる電流制御設定信号Ｉcrを出力する。
【００４０】
電流誤差増幅回路ＥＩは、上記の電流制御設定信号Ｉcr及び上記の電流検出信号Ｉｄを入力として、電流制御設定信号Ｉcr（＋）と電流検出信号Ｉｄ（−）との誤差を増幅して、電流誤差増幅信号Ｅｉを出力する。
【００４１】
小電流期間回路ＳＴＤは、上記の短絡判別信号Ｓｄを入力として、短絡判別信号ＳｄがＬｏｗレベル(アーク期間)に変化した時点から予め定めた電流降下時間が経過した時点でＨｉｇｈレベルになり、その後に短絡判別信号ＳｄがＨｉｇｈレベル(短絡期間)になるとＬｏｗレベルになる小電流期間信号Ｓtdを出力する。
【００４２】
電源特性切換回路ＳＷは、上記の電流誤差増幅信号Ｅｉ、上記の電圧誤差増幅信号Ｅｖ、上記の短絡判別信号Ｓｄ及び上記の小電流期間信号Ｓtdを入力として、以下の処理を行い、誤差増幅信号Ｅａを出力する。
１）短絡判別信号ＳｄがＨｉｇｈレベル(短絡期間)に変化した時点から、短絡判別信号ＳｄがＬｏｗレベル(アーク期間)に変化して予め定めた遅延期間が経過した時点までの期間中は、電流誤差増幅信号Ｅｉを誤差増幅信号Ｅａとして出力する。
２）その後のアーク期間中は、電圧誤差増幅信号Ｅｖを誤差増幅信号Ｅａとして出力する。
３）その後のアーク期間中に小電流期間信号ＳtdがＨｉｇｈレベルとなる期間中は、電流誤差増幅信号Ｅｉを誤差増幅信号Ｅａとして出力する。
この回路によって、溶接電源の特性は、短絡期間、遅延期間及び小電流期間中は定電流特性となり、それ以外のアーク期間中は定電圧特性となる。
【００４３】
図２は、本発明の実施の形態１に係るアーク溶接制御方法を示す図１の溶接電源における各信号のタイミングチャートである。同図（Ａ）は送給速度Ｆｗの時間変化を示し、同図（Ｂ）は溶接電流Ｉｗの時間変化を示し、同図（Ｃ）は溶接電圧Ｖｗの時間変化を示し、同図(Ｄ)は短絡判別信号Ｓｄの時間変化を示し、同図(Ｅ)は小電流期間信号Ｓtdの時間変化を示す。以下、同図を参照して各信号の動作について説明する。
【００４４】
同図（Ａ）に示す送給速度Ｆｗは、図１の送給速度設定回路ＦＲから出力される送給速度設定信号Ｆｒの値に制御される。送給速度Ｆｗは、図１の正送加速期間設定信号Ｔsurによって定まる正送加速期間Ｔsu、短絡が発生するまで継続する正送ピーク期間Ｔsp、図１の正送減速期間設定信号Ｔsdrによって定まる正送減速期間Ｔsd、図１の逆送加速期間設定信号Ｔrurによって定まる逆送加速期間Ｔru、アークが発生するまで継続する逆送ピーク期間Ｔrp及び図１の逆送減速期間設定信号Ｔrdrによって定まる逆送減速期間Ｔrdから形成される。さらに、正送ピーク値Ｗspは図１の正送ピーク値設定信号Ｗsrによって定まり、逆送ピーク値Ｗrpは図１の逆送ピーク値設定信号Ｗrrによって定まる。この結果、送給速度設定信号Ｆｒは、正負の略台形波波状に変化する送給パターンとなる。
【００４５】
［時刻ｔ１〜ｔ４の短絡期間の動作］
正送ピーク期間Ｔsp中の時刻ｔ１において短絡が発生すると、同図(Ｃ)に示すように、溶接電圧Ｖｗは数Ｖの短絡電圧値に急減するので、同図(Ｄ)に示すように、短絡判別信号ＳｄがＨｉｇｈレベル(短絡期間)に変化する。時刻ｔ１の直前のアーク期間中に、溶滴サイズ相関値信号Ｐｄが算出されている。時刻ｔ１において、短絡期間が開始すると、図１の相関値誤差増幅回路ＥＰによって、溶滴サイズ相関値信号Ｐｄと基準値信号Ｐｒとの誤差増幅値が算出されて、相関値誤差増幅信号Ｅｐが出力される。この信号が図１の逆送ピーク値設定回路ＷＲＲに入力されて、逆送ピーク値設定信号Ｗrrが出力される。逆送ピーク値設定信号Ｗrrは以下のように変化する。例えば、逆送ピーク値Ｗrpの標準値は４０m/minに設定され、溶滴サイズ相関値信号Ｐｄに基づく変化幅は、±１０m/min程度である。
１）Ｐｄ＜Ｐｒ(直前のアーク期間の時間長さ又は電流積分値が基準値よりも小さいとき)
逆送ピーク値Ｗrpは、予め定めた標準値よりも小さくなるように変化する。
２）Ｐｄ＞Ｐｒ(直前のアーク期間の時間長さ又は電流積分値が基準値よりも大きいとき)
逆送ピーク値Ｗrpは、標準値よりも大きくなるように変化する。
【００４６】
時刻ｔ１において短絡期間が開始すると、時刻ｔ１〜ｔ２の予め定めた正送減速期間Ｔsdに移行し、同図(Ａ)に示すように、送給速度Ｆｗは上記の正送ピーク値Ｗspから０まで減速する。例えば、正送減速期間Ｔsd＝１msに設定される。
【００４７】
同図（Ａ）に示すように、送給速度Ｆｗは時刻ｔ２〜ｔ３の予め定めた逆送加速期間Ｔruに入り、０から上記の逆送ピーク値Ｗrpまで加速する。この期間中は短絡期間が継続している。例えば、逆送加速期間Ｔru＝１msに設定される。
【００４８】
時刻ｔ３において逆送加速期間Ｔruが終了すると、同図（Ａ）に示すように、送給速度Ｆｗは逆送ピーク期間Ｔrpに入り、上記の逆送ピーク値Ｗrpになる。逆送ピーク期間Ｔrpは、時刻ｔ４にアークが発生するまで継続する。したがって、時刻ｔ１〜ｔ４の期間が短絡期間となる。逆送ピーク期間Ｔrpは所定値ではないが、４ms程度となる。
【００４９】
同図(Ｂ)に示すように、時刻ｔ１〜ｔ４の短絡期間中の溶接電流Ｉｗは、予め定めた初期期間中は予め定めた初期電流値となる。その後、溶接電流Ｉｗは、予め定めた短絡時傾斜で上昇し、予め定めた短絡時ピーク値に達するとその値を維持する。
【００５０】
同図（Ｃ）に示すように、溶接電圧Ｖｗは、溶接電流Ｉｗが短絡時ピーク値となるあたりから上昇する。これは、溶接ワイヤ１の逆送及び溶接電流Ｉｗによるピンチ力の作用により、溶接ワイヤ１の先端の溶滴にくびれが次第に形成されるためである。
【００５１】
その後に溶接電圧Ｖｗの電圧上昇値が基準値に達すると、くびれの形成状態が基準状態になったと判別して、図１のくびれ検出信号ＮｄはＨｉｇｈレベルに変化する。
【００５２】
くびれ検出信号ＮｄがＨｉｇｈレベルになったことに応動して、図１の駆動信号ＤｒはＬｏｗレベルになるので、図１のトランジスタＴＲはオフ状態となり図１の減流抵抗器Ｒが通電路に挿入される。同時に、図１の電流制御設定信号Ｉcrが低レベル電流設定信号Ｉlrの値に小さくなる。このために、同図（Ｂ）に示すように、溶接電流Ｉｗは短絡時ピーク値から低レベル電流値へと急減する。そして、溶接電流Ｉｗが低レベル電流値まで減少すると、駆動信号ＤｒはＨｉｇｈレベルに戻るので、トランジスタＴＲはオン状態となり減流抵抗器Ｒは短絡される。同図（Ｂ）に示すように、溶接電流Ｉｗは、電流制御設定信号Ｉcrが低レベル電流設定信号Ｉlrのままであるので、アーク再発生から予め定めた遅延期間が経過するまでは低レベル電流値を維持する。したがって、トランジスタＴＲは、くびれ検出信号ＮｄがＨｉｇｈレベルに変化した時点から溶接電流Ｉｗが低レベル電流値に減少するまでの期間のみオフ状態となる。同図（Ｃ）に示すように、溶接電圧Ｖｗは、溶接電流Ｉｗが小さくなるので一旦減少した後に急上昇する。上述した各パラメータは、例えば以下の値に設定される。初期電流＝４０Ａ、初期期間＝０．５ms、短絡時傾斜＝２ms、短絡時ピーク値＝４００Ａ低レベル電流値＝５０Ａ、遅延期間＝１ms。
【００５３】
［時刻ｔ４〜ｔ７のアーク期間の動作］
時刻ｔ４において、溶接ワイヤの逆送及び溶接電流Ｉｗの通電によるピンチ力によってくびれが進行してアークが発生すると、同図(Ｃ)に示すように、溶接電圧Ｖｗは数十Ｖのアーク電圧値に急増するので、同図(Ｄ)に示すように、短絡判別信号ＳｄがＬｏｗレベル(アーク期間)に変化する。アーク期間が開始すると、溶滴サイズ相関値信号Ｐｄの算出が開始し、アーク期間が終了するまで継続する。
【００５４】
時刻ｔ４において、アーク期間が開始すると、時刻ｔ４〜ｔ５の予め定めた逆送減速期間Ｔrdに移行し、同図(Ａ)に示すように、送給速度Ｆｗは上記の逆送ピーク値Ｗrpから０まで減速する。
【００５５】
時刻ｔ５において逆送減速期間Ｔrdが終了すると、時刻ｔ５〜ｔ６の予め定めた正送加速期間Ｔsuに移行する。この正送加速期間Ｔsu中は、同図（Ａ）に示すように、送給速度Ｆｗは０から上記の正送ピーク値Ｗspまで加速する。この期間中はアーク期間が継続している。例えば、正送加速期間Ｔsu＝１msに設定される。
【００５６】
時刻ｔ６において正送加速期間Ｔsuが終了すると、同図（Ａ）に示すように、送給速度Ｆｗは正送ピーク期間Ｔspに入り、上記の正送ピーク値Ｗspになる。この期間中もアーク期間が継続している。正送ピーク期間Ｔspは、時刻ｔ７に短絡が発生するまで継続する。したがって、時刻ｔ４〜ｔ７の期間がアーク期間となる。そして、短絡が発生すると、時刻ｔ１の動作に戻る。正送ピーク期間Ｔspは所定値ではないが、４ms程度となる。正送ピーク値Ｗspは、例えば５０m/minに設定される。
【００５７】
時刻ｔ４においてアークが発生すると、同図(Ｃ)に示すように、溶接電圧Ｖｗは数十Ｖのアーク電圧値に急増する。他方、同図(Ｂ)に示すように、溶接電流Ｉｗは、時刻ｔ４から遅延期間の間は低レベル電流値を継続する。その後、溶接電流Ｉｗは増加して高電流値となる。この高電流値となるアーク期間中は、図１の電圧誤差増幅信号Ｅｖによって溶接電源のフィードバック制御が行われるので、定電圧特性となる。
【００５８】
時刻ｔ４にアークが発生してから予め定めた電流降下時間が経過する時刻ｔ６１において、同図(Ｅ)に示すように、小電流期間信号ＳtdがＨｉｇｈレベルに変化する。これに応動して、溶接電源は定電圧特性から定電流特性に切り換えられる。このために、同図(Ｂ)に示すように、溶接電流Ｉｗは低レベル電流値に低下し、短絡が発生する時刻ｔ７までその値を維持する。同様に、同図(Ｃ)に示すように、溶接電圧Ｖｗも低下する。小電流期間信号Ｓtdは、時刻ｔ７に短絡が発生するとＬｏｗレベルに戻る。電流降下時間は５ms程度に設定されるので、時刻ｔ６１のタイミングは正送ピーク期間Ｔsp中となる。
【００５９】
実施の形態１の発明においては、短絡期間が開始した時点における溶滴サイズと相関する値(溶滴サイズ相関値信号Ｐｄ)に基づいて、逆送ピーク値Ｗrpが変化する。すなわち、溶滴サイズが標準サイズよりも小さいほど、逆送ピーク値Ｗrpは小さくなり、溶滴サイズが標準サイズよりも大きいほど、逆送ピーク値Ｗrpは大きくなる。短絡発生時の溶滴サイズが小さいときは、逆送ピーク値Ｗrpを小さくすることによって、スパッた発生量を削減することができる。逆に、短絡発生時の溶滴サイズが大きいときは、逆送ピーク値Ｗrpを大きくすることによって、スパッた発生量を削減することができる。
【００６０】
［実施の形態２］
実施の形態２の発明は、溶滴サイズ相関値信号と予め定めた閾値との比較結果に基づいて送給速度の逆送ピーク値を変化させるものである。
【００６１】
図３は、本発明の実施の形態２に係るアーク溶接制御方法を実施するための溶接電源のブロック図である。同図は、上述した図１と対応しており、同一のブロックには同一符号を付して、それらの説明は繰り返さない。同図は、図１の基準値設定回路Ｐｒを削除し、図１の相関値誤差増幅回路ＥＰを相関値比較回路ＣＰに置換し、図１の逆送ピーク値設定回路ＷＲＲを第２逆送ピーク値設定回路ＷＲＲ２に置換したものである。以下、同図を参照してこれらのブロックについて説明する。
【００６２】
相関値比較回路ＣＰは、上記の溶滴サイズ相関値信号Ｐｄを入力として、溶滴サイズ相関値信号Ｐｄが予め定めた下限閾値未満のときは相関値比較信号Ｃｐ＝１を出力し、溶滴サイズ相関値信号Ｐｄが予め定めた上限閾値以上のときは相関値比較信号Ｃｐ＝２を出力し、溶滴サイズ相関値信号Ｐｄが下限閾値以上かつ上限閾値未満のときは相関値比較信号Ｃｐ＝０を出力する。
【００６３】
第２逆送ピーク値設定回路ＷＲＲ２は、上記の短絡判別信号Ｓｄ及び上記の相関値比較信号Ｃｐを入力として、短絡判別信号ＳｄがＨｉｇｈレベル(短絡)に変化した時点において、相関値比較信号Ｃｐ＝１のときは予め定めた逆送ピーク値の標準値を所定値だけ小さくなるように修正し、相関値比較信号Ｃｐ＝２のときは逆送ピーク値の標準値を所定値だけ大きくなるように修正し、相関値比較信号Ｃｐ＝０のときは逆送ピーク値の標準値をそのままの値で、逆送ピーク値設定信号Ｗrrとして出力する。この回路によって、相関値比較信号Ｃｐ＝１(短絡発生時の溶滴サイズが標準サイズよりも小さい)ときは、逆送ピーク値設定信号Ｗrrは標準値よりも小さくなるように変化する。Ｃｐ＝２（短絡発生時の溶滴サイズが標準サイズよりも大きい）ときは、逆送ピーク値設定信号Ｗrrは標準値よりも大きくなるように変化する。Ｃｐ＝０(短絡時の溶滴サイズがほぼ標準サイズ）のときは、逆送ピーク値設定信号Ｗrrは標準値のままである。
【００６４】
本発明の実施の形態２に係るアーク溶接制御方法を示す図３の溶接電源における各信号のタイミングチャートは、上述した図２と同様であるので説明は繰り返さない。但し、溶滴サイズ相関値信号Ｐｄに基づく逆送ピーク値Ｗrpの修正方法が上述したように異なっている。
【００６５】
上述した実施の形態２の発明によれば、相関値と予め定めた閾値との比較結果に基づいて送給速度の逆送ピーク値を変化させる。これにより、実施の形態１と同様の効果を奏することができる。実施の形態２の発明では、溶滴サイズ相関値信号Ｐｄが適正範囲にあるときは逆送ピーク値は変化しないので、溶接状態の変化が穏やかになるという効果を奏する。
【符号の説明】
【００６６】
１            溶接ワイヤ
２            母材
３            アーク
４            溶接トーチ
５            送給ロール
ＣＭ            電流比較回路
Ｃｍ            電流比較信号
ＣＰ            相関値比較回路
Ｃｐ            相関値比較信号
ＤＲ            駆動回路
Ｄｒ            駆動信号
Ｅ            出力電圧
Ｅａ            誤差増幅信号
ＥＤ            出力電圧検出回路
Ｅｄ            出力電圧検出信号
ＥＩ            電流誤差増幅回路
Ｅｉ            電流誤差増幅信号
ＥＰ            相関値誤差増幅回路
Ｅｐ            相関値誤差増幅信号
ＥＲ            出力電圧設定回路
Ｅｒ            出力電圧設定信号
ＥＶ            電圧誤差増幅回路
Ｅｖ            電圧誤差増幅信号
ＦＣ            送給制御回路
Ｆｃ            送給制御信号
ＦＲ            送給速度設定回路
Ｆｒ            送給速度設定信号
Ｆｗ            送給速度
ＩＣＲ            電流制御設定回路
Ｉcr            電流制御設定信号
ＩＤ            電流検出回路
Ｉｄ            電流検出信号
ＩＬＲ            低レベル電流設定回路
Ｉlr            低レベル電流設定信号
Ｉｗ            溶接電流
ＮＤ            くびれ検出回路
Ｎｄ            くびれ検出信号
ＰＤ            溶滴サイズ相関値算出回路
Ｐｄ            溶滴サイズ相関値信号
ＰＭ            電源主回路
Ｐｒ            基準値設定回路
Ｐｒ            基準値信号
Ｒ            減流抵抗器
ＳＤ            短絡判別回路
Ｓｄ            短絡判別信号
ＳＴＤ            小電流期間回路
Ｓtd            小電流期間信号
ＳＷ            電源特性切換回路
ＴＲ            トランジスタ
Ｔrd            逆送減速期間
ＴＲＤＲ          逆送減速期間設定回路
Ｔrdr          逆送減速期間設定信号
Ｔrp            逆送ピーク期間
Ｔru            逆送加速期間
ＴＲＵＲ          逆送加速期間設定回路
Ｔrur          逆送加速期間設定信号
Ｔsd            正送減速期間
ＴＳＤＲ          正送減速期間設定回路
Ｔsdr          正送減速期間設定信号
Ｔsp            正送ピーク期間
Ｔsu            正送加速期間
ＴＳＵＲ          正送加速期間設定回路
Ｔsur          正送加速期間設定信号
ＶＤ            電圧検出回路
Ｖｄ            電圧検出信号
Ｖｗ            溶接電圧
ＷＬ            リアクトル
ＷＭ            送給モータ
Ｗrp            逆送ピーク値
ＷＲＲ            逆送ピーク値設定回路
Ｗrr            逆送ピーク値設定信号
ＷＲＲ２          第２逆送ピーク値設定回路
Ｗsp            正送ピーク値
ＷＳＲ            正送ピーク値設定回路
Ｗsr            正送ピーク値設定信号
【図１】
2018051579.tif 000003
【図２】
2018051579.tif 000004
【図３】
2018051579.tif 000005